(57)【要約】      （修正有）【課題】外観性がよく、補助枕と枕カバーとの変形や損壊を回避することができる枕を提供する。【解決手段】メイン枕１と、二つの補助枕２と、枕カバー４と、を有し、枕カバーは、底布４１と、サイド布４２と、頂布４３と、を縫って構成される枕において、頂布の左右側の長さは、底布の左右側の長さよりも大きく、頂布には、メイン枕と補助枕とに挟まれる折畳段が縫われる。【選択図】図８
0003155837.tif 000002
【実用新案登録請求の範囲】
【請求項１】
メーン枕と、二つの補助枕と、枕カバーと、を有し、前記枕カバーは、底布と、サイード布と、頂布と、を縫って構成される枕において、
前記頂布の左右側の長さは、前記底布の左右側の長さよりも大きく、前記頂布には、前記メーン枕と前記補助枕とに挟まれる折畳段が縫われることを特徴とする枕。
【請求項２】
前記補助枕の高さは、前記メーン枕の高さよりも高いことを特徴とする、請求項１に記載の枕。
【請求項３】
前記枕カバーの前記底布には、入れ穴が設けられることを特徴とする、請求項１に記載の枕。
【考案の詳細な説明】
【技術分野】
【０００１】
本考案は枕に関し、特に、外観の一致性を保持することができ、補助枕と枕カバーとの変形や損壊を回避することができる枕に関するものである。
【背景技術】
【０００２】
睡眠を良くするために、枕が極めて重要である。しかし、市販している枕の材質の種類が極めて多い。例えば木綿で作製された枕の場合には、枕が極めて柔軟であり、変形し難く、洗濯することができるが、枕の厚さがより厚いので、薄い枕を好むユーザには不向きである。羽毛で作製された枕の場合には、保温効果が良く、弾性が良いが、二つの枕を使用しないと、ユーザの首部を支持できないので、呼吸道がアレルギーを起こし易くユーザには不向きである。エマルジョンで作製された枕の場合には、通気性が良く、支持力が高く、カビを抑制することができるが、太陽に長期間に照られると、エマルジョンが徐々に粉末になり、洗濯することができない。シリコンで作製された枕の場合には、人体の体温がシリコンに伝わると、シリコンが柔軟になり、そして支持力が高く、変形し難く、加えられる圧力を均一に分散することができるが、放熱効果が良くないので、夏時期の利用が不向きである。複数のバネで作製された枕の場合には、支持力が高いが、バネが錆び易いので、洗濯することができない。
【０００３】
上記の枕は、図９に示すように、メーン枕５を有する。前記メーン枕５の両側には、補助枕６がそれぞれ設けられ、前記補助枕６の高さが前記メーン枕５の高さよりも高い。これにより、ユーザの首部が何時でも良く支持され、且つ前記メーン枕５と二つの前記補助枕６とが枕カバー７に覆われ、前記枕カバー７により、前記メーン枕５と二つの前記補助枕６との清潔を守ることができる。
【０００４】
しかしながら、このような枕によれば、図１０に示すように、ユーザの頭の重量により前記枕カバー７と前記メーン枕５とが凹み、且つ前記枕カバー７の上面が凹んでいるときには、二つの前記補助枕６が上へ変形する。そうすると、外観の一致性が破壊され、前記補助枕６と前記枕カバー７とが損壊し易い問題があった。
【０００５】
別の従来の枕は、図１１に示すように、台湾特許第Ｉ２３８０５２号の「枕」が提案された。このような従来の枕は、メーン枕８と、二つの補助枕８１と、複数のメーン枕パッド８２と、枕カバー８３と、から構成される。前記補助枕８１の全体高さは、前記メーン枕８の高さよりも高い。前記二つの補助枕８１は前記メーン枕８の両側に設けられる。前記メーン枕パッド８２は、その厚さが前記メーン枕８の厚さと同じであり、前記メーン枕８の下に設けられる。前記枕カバー８３には、開口８３１が設けられ、前記開口８３１により、前記メーン枕８と前記補助枕８１と前記メーン枕パッド８２とを前記枕カバー８３に入れることができる。
【０００６】
しかしながら、このような枕によれば、ユーザの頭の重量により前記枕カバー８３の上面が凹んでいるときには、二つの前記補助枕８１が上へ変形し、そうすると、外観の一致性が破壊され、前記補助枕８１と前記枕カバー８３とが損壊し易い問題があった。
【先行技術文献】
【特許文献】
【０００７】
【特許文献１】台湾特許第Ｉ２３８０５２号
【考案の概要】
【考案が解決しようとする課題】
【０００８】
本考案の主な目的は、外観の一致性を保持することができ、補助枕と枕カバーとの変形や損壊を回避することができる枕を提供することにある。
【課題を解決するための手段】
【０００９】
本考案の請求項１に記載の枕によると、メーン枕と、二つの補助枕と、枕カバーと、を有し、前記枕カバーは、底布と、サイード布と、頂布と、を縫って構成される枕において、
前記頂布の左右側の長さは、前記底布の左右側の長さよりも大きく、前記頂布には、前記メーン枕と前記補助枕とに挟まれる折畳段が縫われることを特徴とする枕である。
【００１０】
本考案の請求項２に記載の枕によると、前記補助枕の高さは、前記メーン枕の高さよりも高い。
【００１１】
本考案の請求項３に記載の枕によると、前記枕カバーの前記底布には、入れ穴が設けられる。
【考案の効果】
【００１２】
本考案の枕によれば、次のような効果がある。
（１）本考案の枕カバーは、頂布の左右側の長さが底布の左右側の長さよりも長いので、枕カバーの上面が凹んでいるときに、二つの補助枕が上へ変形しなく、そうすると、外観の一致性を保持することができ、補助枕と枕カバーとの変形や損壊を回避することができる。
【００１３】
（２）本考案の枕カバーの頂布の前側には、折畳段が縫われ、これにより、頂布の前側は、メーン枕と補助枕との円弧凸部に応じて円弧形状になり、且つ折畳段がメーン枕と補助枕とに挟まれるので、メーン枕と補助枕とを定位する効果を有する。
【図面の簡単な説明】
【００１４】
【図１】本考案の一実施形態の枕の分解斜視図である。
【図２】本考案の一実施形態のメーン枕と補助枕と調整パッドとの分解斜視図である。
【図３】本考案の枕カバーの拡大図である。
【図４】本考案の一実施形態の枕の使用状態を示す斜視図である。
【図５】本考案の一実施形態の枕の使用状態を示す断面図である。
【図６】本考案の一実施形態の枕の使用状態を示す断面拡大図である。
【図７】本考案の一実施形態の枕の使用状態を示す斜視図である。
【図８】本考案の一実施形態の枕の使用状態を示す断面図である。
【図９】従来のものの組合状態の断面図である。
【図１０】従来のものの使用状態を示す断面図である。
【図１１】別の従来のものの分解斜視図である。
【考案を実施するための形態】
【００１５】
以下、本考案の実施の形態を図面に基づいて説明する。
まず、図１及び図２を参照する。本考案の一実施形態の枕は、メーン枕１と、二つの補助枕２と、複数の調整パッド３と、枕カバー４と、を含む。
【００１６】
前記メーン枕１の上面の前側には、ユーザの首部を支持する円弧凸部１１が形成され、前記円弧凸部１１の後側には、ユーザの頭を支持する凹み部１２が設けられる。
【００１７】
前記補助枕２の上面には、前記メーン枕１に応じて円弧凸部２１と凹み部２２とが形成される。前記補助枕２の高さは前記メーン枕１の高さよりも高いので、ユーザの首部を何時でも良く支持することができる。
【００１８】
前記調整パッド３の厚さは、前記メーン枕１の厚さよりも小さく、前記補助枕２の厚さよりも小さい。前記調整パッド３は、前記メーン枕１と前記補助枕２との下に設けられ、これにより、枕の高さを調整することができる。
【００１９】
前記枕カバー４は、底布４１を有し、前記底布４１の中央には、入れ穴４１１が設けられ、前記入れ穴４１１により、前記メーン枕１と前記補助枕２と前記調整パッド３とを前記枕カバー４に入れることができる。前記底布４１の両側には、サイード布４２が縫われ、前記サイード布４２の上縁は、前記補助枕２の上面にある円弧凸部２１と凹み部２２とに応じて円弧形状を呈し、前記底布４１と前記サイード布４２とには、頂布４３が縫われ、前記頂布４３の左右側の長さは前記底布４１の左右側の長さよりも長い。図３に示すように、前記頂布４３の前側には、折畳段４３１が縫われ、そうすると、前記頂布４３の前側は、前記メーン枕１と前記補助枕２との円弧凸部１１、２１に応じて円弧形状を呈し、且つ前記折畳段４３１が前記メーン枕１と前記補助枕２とに挟まれるので、前記メーン枕１と前記補助枕２とを定位する効果を有する。
【００２０】
次に、図１及び図４から図６を参照しながら本考案の組付方法を説明する。前記底布４１に設けられた前記入れ穴４１１により、前記メーン枕１と前記二つの補助枕２とを枕カバー４に入れ、且つ前記メーン枕１の両側に前記補助枕２をそれぞれ設けて、前記入れ穴４１１から複数の前記調整パッド３を枕カバー４に入れて前記メーン枕１と前記二つの補助枕２との下に設ける。前記メーン枕１の下に設ける前記調整パッド３の数量は、前記補助枕２の下に設ける前記調整パッド３の数量よりも多いことにより、全体の高さが一致になる。前記頂布４３の左右側の長さは前記底布４１の左右側の長さよりも長いので、前記メーン枕１と前記補助枕２との間に隙間に余計な前記頂布４３を押入れることができ、これにより、全体の見栄えが良くなる。
【００２１】
図１、図７及び図８を参照しながら本考案の使用状態を説明する。まず、前記メーン枕１の高さを前記補助枕の高さよりも低くするように、前記メーン枕１の下に設けられた若干個の前記調整パッド３を取り出すことにより、ユーザの首部を何時でも良く支持することができる。そしてユーザの頭の重量により前記枕カバー４の上面が凹んでいるときには、前記頂布４３の左右側の長さが前記底布４１の左右側の長さよりも長いので、二つの前記補助枕２が上へ変形しなく、そうすると、枕の外観の一致性を保持することができ、前記補助枕２と前記枕カバー４との変形や損壊を回避することができる。
【００２２】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００２３】
本考案は、枕に適用することができる。
【符号の説明】
【００２４】
１：メーン枕、２：補助枕、３：調整パッド、４：枕カバー、５：メーン枕、６：補助枕、７：枕カバー、８：メーン枕、１１：円弧凸部、１２：凹み部、２１：円弧凸部、２２：凹み部、４１：底布、４２：サイード布、４３：頂布、８１：補助枕、８２：メーン枕パッド、８３：枕カバー、４１１：入れ穴、４３１：折畳段、８３１：開口。
【図１】
0003155837.tif 000003
【図２】
0003155837.tif 000004
【図３】
0003155837.tif 000005
【図４】
0003155837.tif 000006
【図５】
0003155837.tif 000007
【図６】
0003155837.tif 000008
【図７】
0003155837.tif 000009
【図８】
0003155837.tif 000010
【図９】
0003155837.tif 000011
【図１０】
0003155837.tif 000012
【図１１】
0003155837.tif 000013